(57)【要約】【課題】  情報収集配信システム及び情報収集配信方法を提供する。【解決手段】  郵便ポストに設置されるデータ提供装置１０ａと、データ提供装置１０ａとデータを送受信する情報収集配信装置２０と、データ提供装置１０ａから配信された情報を受信する端末３０とが通信ネットワークを介して接続され、情報収集配信装置２０は、データ提供装置１０ａの識別子と、データ提供装置１０ａに送信されるデータとを含む提供用データ２３ａが記憶される第１の記憶装置２３と、第１の記憶装置２３から提供用データ２３ａを読み出し、提供用データ２３ａに含まれるデータ提供装置の識別子で識別されるデータ提供装置に、データを送信する情報配信部２２ａとを有し、データ提供装置１０ａは、情報収集配信装置２０から受信したデータを所定のタイミングで端末３０に提供する提供手段１３ｂを有する。【選択図】      図１
2007004482.tif 000002
【特許請求の範囲】
【請求項１】
郵便ポストに設置されるデータ提供装置と、当該データ提供装置との間でデータを送受信する情報収集配信装置と、前記データ提供装置から提供された情報を取得する端末とを有し、
前記情報収集配信装置は、
前記データ提供装置に予め付された当該装置の識別子と、前記データ提供装置に送信されるデータとを少なくとも含む提供用データが記憶される第１の記憶装置と、
前記第１の記憶装置から提供用データを読み出し、前記提供用データに含まれる前記データ提供装置の識別子により対応するデータ提供装置に、前記データを送信する情報配信部とを有し、
前記データ提供装置は、前記情報収集配信装置から受信したデータを所定のタイミングで端末に提供する提供手段を有する
ことを特徴とする情報収集配信システム。
【請求項２】
郵便ポストに設置されるデータ提供装置と、当該データ提供装置との間でデータを送受信する情報収集配信装置と、前記データ提供装置から提供された情報を取得する端末とを有し、
前記情報収集配信装置は、
前記データ提供装置に予め付された当該装置の識別子と、前記データ提供装置に送信されるデータとを少なくとも含む第１の提供用データが記憶される第１の記憶装置と、
前記第１の記憶装置から第１の提供用データを読み出し、当該提供用データに含まれる前記データ提供装置の識別子により対応するデータ提供装置に、前記データを送信する情報配信部とを有し、
前記データ提供装置は、
前記情報収集配信装置から受信したデータを第２の提供用データとして第２の記憶装置に記憶させる記憶処理手段と、
前記第２の記憶装置から前記第２の提供用データを読み出して、当該読み出したデータを所定のタイミングで端末に提供する提供手段とを有する
ことを特徴とする情報収集配信システム。
【請求項３】
前記データ提供装置は、リクエスト信号を生成して送信し、前記情報収集配信装置から提供用データを取得する取得制御手段を有することを特徴とする請求項１又は２記載の情報収集配信システム。
【請求項４】
前記データ提供装置は、
前記データ提供装置に備えられるセンサで検出したデータを、収集データとして前記第２の記憶装置に記憶させる収集手段と、
前記収集データを前記第２の記憶装置から読み出して、前記データ提供装置の識別子に関連付けて前記情報収集配信装置に送信する通知手段と、
を有することを特徴とする請求項１乃至３のいずれか一記載の情報収集配信システム。
【請求項５】
郵便ポストに設置されるデータ提供装置と、当該データ提供装置から提供された情報を取得する端末とを有し、
前記データ提供装置は、
前記端末に提供されるデータを含む提供用データが記憶され、着脱可能な第３の記憶装置と、
前記第３の記憶装置から提供用データを読み出して、当該読み出したデータを所定のタイミングで端末に提供する提供手段とを有する
ことを特徴とする情報収集配信システム。
【請求項６】
郵便ポストに設置されるデータ提供装置に予め付与された当該装置の識別子と、当該データ提供装置に送信されるデータとを少なくとも含む第１の提供用データが記憶される第１の記憶装置から読み出されて情報収集配信装置から送信された第１の提供用データを、前記第１の提供用データに含まれる前記データ提供装置の識別子により対応するデータ提供装置で受信する受信ステップと、
受信した前記データを第２の提供用データとして第２の記憶装置に記憶させる記憶処理ステップと、
前記第２の記憶装置から第２の提供用データを読み出して、当該読み出したデータ提供装置データを所定のタイミングで端末に提供する提供ステップとを有する
ことを特徴とする情報収集配信方法。
【発明の詳細な説明】
【技術分野】
【０００１】
本発明は、情報収集配信システム及び情報収集配信方法に関する。
【背景技術】
【０００２】
現在、郵便物を収集する郵便ポストは、全国各地の１８万箇所以上の場所に高い密度で配置されている。これらの郵便ポストは、投函される郵便物の一時的な保管とポストの筐体に帖示されるポスター等を用いた情報発信のみに供されており、他の用途では有効に活用されていない。
【０００３】
このような郵便ポストに投函された郵便物は、郵便ポスト毎に定められる所定の時刻に回収されている。しかしながら、郵便物を回収するまでに、郵便ポスト内が投函された郵便物であふれていることや、郵便ポスト内に郵便物が投函されていないこともある。
【０００４】
郵便ポストに投函された郵便物の回収と同様に収集が必要な例として、ゴミの収集がある。このようなゴミの収集の為を軽減する為に、巡回に必要な情報を配信する技術がある（例えば、特許文献１）。また、郵便ポストに内容量の監視やデータの送受信を行う技術がある（例えば、特許文献２）。
【０００５】
一方、携帯電話機に代表されるモバイル端末を用いた情報の収集や配信には、携帯電話基地局等の設置が必要である。しかしながら、このような基地局を新設する為には、基地局の設置場所を選定し、さらに選定された土地の地権者との交渉が成立しなければならないという課題がある。
【特許文献１】特開２００４−２３４２７７号公報
【特許文献２】特開平８−２７６９８８号公報
【発明の開示】
【発明が解決しようとする課題】
【０００６】
上述した特許文献１又は２に記載の技術では、回収に関して必要なデータを送信することで、回収業務の軽減を図っているが、これらのデータはゴミの回収や郵便物の回収に関するデータのみを扱っている。
【０００７】
一方、上述したように、郵便ポストは全国に高い面積密度でばらつきがなく配置されており、携帯電話基地局よりも高密度で設置されている。そのため、設置分布の観点では郵便ポストは狭い範囲での情報収集配信の基地局に適していると考えられる。また、既設の郵便ポストを基地局に利用することが出来れば、携帯電話基地局を新設する場合に必要な地権者との交渉を必要とすること無く、高密度な範囲における情報収集配信に利用することが出来る。
【０００８】
そこで、本発明は上述した問題点を解決するためのものであり、利用者によって所望のデータを効率的に収集及び配信を行うことが出来る情報収集配信システム及び情報収集配信方法を提供することを目的とする。
【課題を解決するための手段】
【０００９】
上記課題を解決するために、本発明の特徴に係る情報収集配信システムは、郵便ポストに設置されるデータ提供装置と、データ提供装置との間でデータを送受信する情報収集配信装置と、データ提供装置から提供された情報を取得する端末とを有し、情報収集配信装置は、データ提供装置に予め付与された当該装置の識別子と、データ提供装置に送信されるデータとを少なくとも含む提供用データが記憶される第１の記憶装置と、第１の記憶装置から提供用データを読み出し、提供用データに含まれるデータ提供装置の識別子により対応する識別されるデータ提供装置に、データを送信する情報配信部とを有し、データ提供装置は、情報収集配信装置から受信したデータを所定のタイミングで端末に提供する提供手段とを有する。
【００１０】
上記構成による本発明によれば、全国各地に高密度で設置される郵便ポストに備えられるデータ提供装置からユーザの有する端末にデータを提供することができる。
【００１１】
また、本発明の特徴に係る情報配信システムは、郵便ポストに設置されるデータ提供装置と、データ提供装置との間でデータを送受信する情報収集配信装置と、データ提供装置から提供された情報を取得する端末とがを有し、情報収集配信装置は、データ提供装置に予め付与された当該装置の識別子と、データ提供装置に送信されるデータとを少なくとも含む第１の提供用データが記憶される第１の記憶装置と、第１の記憶装置から第１の提供用データを読み出し、提供用データに含まれるデータ提供装置の識別子により対応するデータ提供装置に、データを送信する情報配信部とを有し、データ提供装置は、情報収集配信装置から受信したデータを第２の提供用データとして第２の記憶装置に記憶させる記憶処理手段と、第２の記憶装置から第２の提供用データを読み出して、読み出したデータを所定のタイミングで端末に提供する提供手段とを有する。
【００１２】
上記構成による本発明によれば、全国各地に高密度で設置される郵便ポストに備えられるデータ提供装置からユーザの有する端末にデータを提供することができる。
【００１３】
また、情報収集配信システムの前記データ提供装置は、リクエスト信号を生成して送信し、前記情報収集配信装置から提供用データを取得する取得制御手段を有することが望ましい。
【００１４】
上記構成による本発明によれば、郵便ポストに備えられるデータ提供装置からユーザの有する端末から受信したリクエスト信号に応じて、必要なデータを端末に提供することができる。
【００１５】
さらに、情報収集配信システムの前記データ提供装置は、データ提供装置に備えられるセンサで検出したデータを収集データとして第２の記憶装置に記憶させる収集手段と、収集データを第２の記憶装置から読み出して、データ提供装置の識別子に関連付けて情報収集配信装置に送信する通知手段とを有することが望ましい。
【００１６】
上記構成による本発明によれば、全国各地に高密度で設置される郵便ポストに備えられるデータ提供装置が有するセンサの検出により収集データを生成することができる。
【発明の効果】
【００１７】
本発明に係る情報収集配信システム及び情報収集配信方法によれば、利用者によって所望のデータを効率的に収集及び配信を行うことができる。
【発明を実施するための最良の形態】
【００１８】
以下、図面を参照して、本発明の最良の実施の形態を説明する。
【００１９】
（情報収集配信システム）
図１は、本発明の最良の実施の形態に係る情報収集配信システム１を示す図である。
【００２０】
情報収集配信システム１は、データ提供装置１０ａ〜１０ｃ及び情報収集配信装置２０を有し、相互にネットワーク４０を介して接続されている。また、データ提供装置１０ａ〜１０ｃは、端末３０とネットワーク５０を介してデータの送受信を行うことが可能である。このネットワーク５０は、例えば、携帯電話ネットワーク、ブルートゥース（登録商標）、又は赤外線通信等の無線ネットワークである。なお、以下の説明では、データ提供装置１０ａを用いて説明するが、データ提供装置１０ａをデータ提供装置１０ｂ，１０ｃに置き換えても同一である。
【００２１】
（データ提供装置）
データ提供装置１０ａは、送受信インタフェース１１、通信制御インタフェース１２、中央処理制御装置１３、センサ１４及び記憶装置１５を有する。このデータ提供装置１０ａは、街頭に設置されている郵便ポストに備えられている。
【００２２】
送受信インタフェース１１は、ネットワーク５０を介した端末３０へのデータの送信、及び、ネットワーク５０を介した端末３０からのデータの受信を制御する。このネットワーク５０は無線ネットワークである。
【００２３】
通信制御インタフェース１２は、ネットワーク４０を介して接続される情報収集配信装置２０とのデータの送受信を制御する。このネットワーク４０は無線ネットワークであることが望ましいが、有線であっても良い。
【００２４】
中央処理制御装置１３は、記憶処理手段１３ａ、提供手段１３ｂ、取得制御手段１３ｃ、読出処理手段１３ｄ、収集手段１３ｅ及び通知手段１３ｆを有する。
【００２５】
記憶処理手段１３ａは、通信制御インタフェース１２を介して情報収集配信装置２０から受信したデータを提供用データ１５ａとして記憶装置１５に記憶させる。
【００２６】
提供手段１３ａは、所定のタイミングで送受信インタフェース１１を介してデータを端末３０に提供する。
【００２７】
例えば、所定のタイミングとは常時であったり、所定の時刻や所定の時間毎等の定期的なタイミングであり、読出処理手段１３ｄにより定期的に記憶装置１５から提供用データ１５ａを読み出して、提供手段１３ｂは、読み出した提供用データ１５ａを送受信インタフェース１１を介して端末３０に送信する。または、所定のタイミングとは送受信インタフェース１１を介して端末３０からリクエスト信号を受信したタイミングであり、提供手段１３ｂは、リクエスト信号を受信した場合に読出処理手段１３ｄにより記憶装置１５から提供用データ１５ａを読み出して抽出したり、情報収集配信装置２０から受信したデータを、送受信インタフェース１１を介して端末３０に送信する。
【００２８】
取得制御手段１３ｃは、所定のタイミングでリクエスト信号を生成し、通信制御インタフェース１２を介して情報収集配信装置２０に送信し、情報収集配信装置２０からデータを取得する。
【００２９】
例えば、所定のタイミングは、定期的なタイミングである。または、所定のタイミングは、端末３０からリクエスト信号を受信したタイミングである。
【００３０】
読出処理手段１３ｄは、提供手段１３ｂの指示により、記憶装置１５から提供用データ１５ａを読み出して、提供用データ１５ａから提供するデータを抽出する。
【００３１】
収集手段１３ｅは、センサ１４により検出されたデータを収集データ１５ｂとして記憶装置１５に記憶させる。
【００３２】
通知手段１３ｆは、センサ１４により検出されたデータ、又は、収集データ１５ｂに記憶されるデータを通信制御インタフェース１２を介して情報収集配信装置２０に送信する。
【００３３】
センサ１４は、内容量センサ１４ａ、郵便物センサ１４ｂ、温度センサ１４ｃ及び湿度センサ１４ｄを有する。
【００３４】
内容量センサ１４ａは、データ提供装置１０ａを備える郵便ポストに投函された内容量を検出する。内容量センサ１４ａにより検出された内容量に関するデータについて通知手段１３ｆにより送信されることで、郵便ポスト内が回収前に投函物で満杯になった場合に、回収のリクエストが情報収集配信装置２０に送信される。または、投函物がない場合にも、回収する必要がない旨の通知が情報収集配信装置２０に送信される。
【００３５】
郵便物センサ１４ｂは、データ提供装置１０ａを備える郵便ポストに投函される郵便物に付帯されるＲＦＩＤやバーコード情報を検出する。この郵便物センサ１４ｂは、例えば、郵便ポストの投函口に備えられている。郵便物センサ１４ｂにより検出された郵便物の情報を利用して郵便物を追跡し、郵便物の配達状況の把握に利用することが出来る。
【００３６】
温度センサ１４ｃは、データ提供装置１０ａを備える郵便ポストが設置される付近の温度を測定する。湿度センサ１４ｄは、データ提供装置１０ｂを備える郵便ポストが設置される付近の湿度を測定する。このように温度や湿度、騒音等を測定し、通知手段１３ｆにより情報収集配信装置２０に送信することで、データ提供装置１０ａを備える郵便ポストが設置される周辺のモニタリング情報を送信する。
【００３７】
記憶装置１５は、提供用データ１５ａ及び収集データ１５ｂを記憶する。
【００３８】
提供用データ１５ａは、端末３０に送信するデータである。この提供用データ１５ａは、予め記憶装置１５に記憶されるデータや、情報収集配信装置２０から受信して記憶されたデータがある。具体的に提供用データ１５ａは、端末３０にデータ提供装置１０ａを備えるポストに近づいたことを通知するメッセージや、ポストの付近の地域情報や、天気予報等が考えられる。
【００３９】
収集データ１５ｂは、端末３０のセンサ１４で検出されて記憶されたデータである。図１に示すデータ提供装置１０ａの場合、収集データ１５ｂは、温度センサ１４ｃにより検出された気温や、湿度センサ１４ｄにより検出された湿度である。また、この他にも、騒音測定用のセンサを有する場合には、騒音を収集データとすることも出来るし、人体検出用のセンサを有する場合には、通行量を収集データとすることも出来る。また、監視カメラを備えても良い。
【００４０】
（情報収集配信装置）
図１に示すように、情報収集配信装置２０は、通信制御インタフェース２１、中央処理制御装置２２及び記憶装置２３を有する。
【００４１】
通信制御インタフェース２１は、ネットワーク４０を介してデータ提供装置１０ａとのデータの送受信を制御する。
【００４２】
記憶装置２３は、提供用データ２３ａ及び収集データ２３ｂを記憶している。
【００４３】
提供用データ２３ａは、データ提供装置１０ａに送信され、データ提供装置１０ａから端末３０に提供されるデータである。
【００４４】
図２に、提供用データ２３ａの一例を示す。図２に示す例では、提供用データ２３ａは、「データ提供装置ＩＤ」をキーとして「地域情報」、「防災情報」及び「住所」等の項目のデータを有するレコードを含むデータである。
【００４５】
「データ提供装置ＩＤ」は、データ提供装置１０ａを識別する識別子である。この「データ提供装置ＩＤ」で識別されるデータ提供装置１０ａに対して、同一のレコードに含まれる項目の提供用データが送信される。データ提供装置１０ａに提供されるデータは、「データ提供装置ＩＤ」で識別されるレコードの全ての項目の実データ又は特定の項目の実データが送信される。例えば、「地域情報」の項目の実データのみが送信されても良く、「地域情報」、「防災情報」及び「住所」の項目の実データが送信されても良い。
【００４６】
「地域情報」の実データは、データ提供装置ＩＤで識別されるデータ提供装置１０ａが備えられる郵便ポストが設置される付近の地域情報であり、その付近の店等の情報である。この「地域情報」が端末３０に提供されることで、例えば、その地域に詳しくないユーザでも、希望する店を見つけることが出来る。また、その地域に住むユーザは、普段利用している店の特売情報等を知ることが出来る。この「地域情報」はテキストデータに限られず、地図等の画像データを含んでいても良い。
【００４７】
「防災情報」の実データは、データ提供装置ＩＤで識別されるデータ提供装置１０ａが備えられる郵便ポストが設置される付近の防災に関する情報であり、例えば災害の際に避難する避難場所等の情報である。この「防災情報」が端末３０に提供されることで、例えば、災害時にその地域の避難場所を知らないユーザであっても、避難場所に辿り着くことが出来る。この「防災情報」もテキストデータに限られず、地図等の画像データを含んでいても良い。
【００４８】
「住所」の実データは、データ提供装置ＩＤで識別されるデータ提供装置１０ａが備えられる郵便ポストが設置される住所である。この「住所」が端末３０に提供されることで、道に迷ったユーザが自分のいる位置の把握に利用することが出来る。この「住所」もテキストデータに限られず、地図等の画像データを含んでいても良い。また、「住所」の実データとしては、日本語で表される住所ばかりでなく、外国語で表されるデータであっても良い。これによれば、日本語が理解できないユーザであっても、自分の理解することが出来る言語で表示される住所に基づいて、自分のいる位置を把握することが出来る。
【００４９】
これらの他に、提供用データ２３ａとしては、「ニュース」やその地域の「天気予報」等の項目のデータを含むことが考えられる。
【００５０】
収集データ２３ｂは、データ提供装置１０ａから受信したデータである。この収集データ２３ｂは、データ提供装置１０ａにより生成される。
【００５１】
図３に、収集データ２３ｂの一例を示す。図３に示す例では、収集データ２３ｂは「データ提供装置ＩＤ」をキーとして「日時」、「気温」及び「湿度」等の項目のデータを有するレコードを含むデータである。
【００５２】
「データ提供装置ＩＤ」は、このレコードの各項目データを送信するデータ提供装置１０ａを識別する識別子である。
【００５３】
「日時」の実データは、このレコードのデータを生成した日時に関する情報である。
【００５４】
「気温」の実データは、このレコードの「日時」の実データで特定される日時に、「データ提供装置ＩＤ」で識別されるデータ提供装置１０ａが有する温度センサ１４ｃにより測定した気温である。
【００５５】
「湿度」の実データは、このレコードの「日時」の実データで特定される日時に、「データ提供装置ＩＤ」で識別されるデータ提供装置１０ａが有する湿度センサ１４ｄにより測定した湿度である。
【００５６】
中央処理制御装置２２は、情報配信部２２ａ、コンテンツ生成部２２ｂ、情報収集部２２ｃ及び分析処理部２２ｄを有する。
【００５７】
情報配信部２２ａは、記憶装置２３に記憶される提供用データ２３ａを読み出して、データ提供装置１０ａに送信する。具体的に、情報配信部２２ａは、提供用データ２３ａに含まれるデータ提供装置の識別子で識別されるデータ提供装置１０ａに同一のレコードに記述される各項目の実データを送信する。送信する各項目の実データは、全ての項目の実データであっても良く、あるいは、特定の項目の実データのみを抽出して送信しても良い。また、情報配信部２２ａがデータ提供装置１０ａに提供用データを送信するタイミングは、所定の時刻であっても良く、あるいは、データ提供装置１０ａからリクエストを受信したタイミングであっても良い。
【００５８】
コンテンツ生成部２２ｂは、データ提供装置１０ａが備えられる郵便ポストの設置される場所に応じた提供用データ２３ａを生成し、記憶装置２３に記憶させる。具体的には、データ提供装置１０ａを備える郵便ポストが設置される地域の情報であったり、防災情報、住所または天気予報等である。
【００５９】
情報収集部２２ｃは、データ提供装置１０ａから受信した収集データを収集データ２３ｂとして蓄積して記憶装置２３に記憶させる。
【００６０】
分析処理部２２ｄは、記憶装置２３に記憶された情報に基づいて、収集結果の時間、地域ごとに各種分析する。この分析処理部２２ｄは、帳票作成手段やグラフ作成手段を有し、各種統計分析を行い、より効果的で効率的に提供用データ２３ａを生成するとともに、郵便ポストの設置情報の分析にも活用することが出来る。
【００６１】
（端末）
端末３０は、データ提供装置１０ａとのデータの送受信を制御する送受信インタフェースと、データ提供装置１０ａから受信してメモリに記憶したデータを表示する表示部とを有する。端末３０は、データ提供装置１０ａとのデータの送受信を制御する専用の端末であっても良いし、一般的に用いられているユーザの携帯電話機を利用しても良い。
【００６２】
（情報収集配信システムにおける処理）
図４は、情報収集配信システム１における処理の一例を示すシーケンス図である。
【００６３】
情報収集配信装置２０の情報配信部２２ａは、通信制御インタフェース２１を介してデータ提供装置１０ａに所定のタイミングで記憶装置２３から提供用データ２３ａ読出して、提供用データ２３ａのレコードに含まれるデータ提供装置の識別子で識別されるデータ提供装置１０ａに同一のレコードに記憶されているデータを、データＤ1として送信する（Ｓ０１）。データＤ1を送信する所定のタイミングとは、例えば決められた時刻等の定期的なタイミングである。
【００６４】
データ提供装置１０ａが通信制御インタフェース１２を介してデータＤ1を受信すると、記憶処理手段１３ａは、受信したデータＤ1を提供用データ１５ａとして記憶装置１５に記憶させる（Ｓ０２）。
【００６５】
その後、提供手段１３ｂは、記憶装置１５に記憶された提供用データ１５ａを読み出して、データＤ2として、送受信インタフェース１１を介して端末３０に配信することにより端末３０ａにデータを提供する（Ｓ０３）。データＤ2の配信は、上述したような所定のタイミングで行なわれ、常時行なわれても良く、また、定期的や所定の時刻に配信されても良い。
【００６６】
例えば、このデータＤ2としては、端末３０を有するユーザに対して郵便ポストに近づいた通知をするメッセージであることが考えられる。このように、郵便ポストに近づいた通知をすることで、ユーザがポストに郵便物を投函し忘れることを防止することが出来る。また、このデータＤ2の他の例として、データ提供装置１０ａが配置される周囲の地図や住所、周辺の地域情報、広告情報、防災情報等であることが考えられる。例えば、地図や住所を端末３０で受信することで、道に迷ったユーザは、自分のいる場所を把握することが出来る。
【００６７】
図５は、情報収集配信システム１における処理の他の一例を示すシーケンス図である。
【００６８】
データ提供装置１０ａの取得制御手段１３ｃは所定のタイミングでリクエスト信号Ｓ1を生成し、生成したリクエスト信号Ｓ1を通信制御インタフェース１２を介して情報収集配信装置２０に送信する（Ｓ１１）。リクエスト信号Ｓ1を送信する所定のタイミングとは、例えば、決められた時刻等の定期的なタイミングである。このリクエスト信号Ｓ1には、データ提供装置１０ａを識別する「データ提供装置ＩＤ」及びデータを要求する「リクエストメッセージ」が含まれる。
【００６９】
情報収集配信装置２０の情報配信部２２ａは、記憶装置２３から提供用データ２３ａを読み出して、受信したリクエスト信号Ｓ1に含まれる「データ提供装置ＩＤ」で識別される「リクエストメッセージ」に基づいて送信用のデータＤ3を抽出する（Ｓ１２）。その後、情報配信部２２ａは、データＤ3を通信制御インタフェース２１を介して「データ提供装置ＩＤ」で識別されるデータ提供装置１０ａに送信する（Ｓ１３）。
【００７０】
データ提供装置１０ａの通信制御インタフェース１２が介してデータＤ3を受信すると、記憶処理手段１３ａは、受信したデータＤ3を提供用データ１５ａとして記憶装置１５に記憶させる（Ｓ１４）。
【００７１】
その後、データ提供装置１０ａの提供手段１３ｂは、記憶装置１５に記憶された提供用データ１５ａを読み出してデータＤ4として送受信インタフェース１１を介して端末３０に配信することにより端末３０ａにデータを提供する（Ｓ１５）。
【００７２】
例えば、このデータＤ4としては、端末３０を有するユーザに対して郵便ポストに近づいた通知をするメッセージであることが考えられる。このように、郵便ポストに近づいた通知をすることで、ユーザがポストに郵便物を投函し忘れることを防止することが出来る。また、このデータＤ4の他の例として、データ提供装置１０ａが配置される周囲の地図や周辺の地域情報、防災情報または住所等であることが考えられる。例えば、住所を端末３０で受信することで、道に迷ったユーザは、自分のいる場所を把握することが出来る。
【００７３】
図６は、情報収集配信システム１における処理の他の一例を示すシーケンス図である。
【００７４】
情報収集配信装置２０の情報配信部２２ａは、通信制御インタフェース２１を介して記憶装置２３から読み出した提供用データ２３ａをデータＤ5としてデータ提供装置１０ａに、所定のタイミングで送信する（Ｓ２１）。所定のタイミングとは、例えば一定時間毎などの定期的なタイミングである。
【００７５】
データ提供装置１０ａが通信制御インタフェース１２を介してデータＤ5を受信すると、記憶処理手段１３ａは、受信したデータＤ5を記憶装置１５に提供用データ１５ａとして記憶させる（Ｓ２２）。
【００７６】
その後、端末３０から送信されたリクエスト信号Ｓ2をデータ提供装置１０ａの通信制御インタフェース１２を介して受信すると（Ｓ２３）、読出処理手段１３ｄは、リクエスト信号Ｓ2に基づいて記憶装置１５に記憶された提供用データ１５ａを読み出す（Ｓ２４）。リクエスト信号Ｓ2は、端末３０を識別する「端末識別子」及びデータの配信を要求する「リクエストメッセージ」が含まれる。
【００７７】
続いて、提供手段１３ｂは、読出処理手段１３ｄにより読み出された提供用データ１５ａを、リクエスト信号Ｓ2に含まれる「端末識別子」で識別される端末３０にデータＤ6として配信することにより端末３０ａにデータを提供する（Ｓ２５）。
【００７８】
例えば、このデータＤ6は、住所、地域情報、天気予報等である。このように、端末３０から送信されるリクエスト信号に基づいてユーザに必要な住所、地域情報、天気予報等のデータを送信することが可能になる。
【００７９】
図７は、情報収集配信システム１における処理の他の一例を示すシーケンス図である。
【００８０】
データ提供装置１０ａの通信制御インタフェース１２がリクエスト信号Ｓ3を取得すると（Ｓ３１）、取得制御手段１３ｃは、リクエスト信号Ｓ4を生成し、通信制御インタフェース１２を介してこのリクエスト信号Ｓ4を情報収集配信装置２０に送信する（Ｓ３２）。リクエスト信号Ｓ3は、「端末識別子」及び「リクエストメッセージ」が含まれる。また、リクエスト信号Ｓ4は、「データ提供装置ＩＤ」及び「リクエストメッセージ」が含まれる。
【００８１】
情報配信部２２ａは、記憶装置２３から提供用データ２３ａを読み出すと、受信したリクエスト信号Ｓ4に含まれる「データ提供装置ＩＤ」及び「リクエストメッセージ」に基づいてレコードを抽出し、送信用のデータＤ7とする（Ｓ３３）。その後、読み出したデータＤ7を「データ提供装置ＩＤ」で識別されるデータ提供装置１０ａに送信する（Ｓ３４）。
【００８２】
データ提供装置１０ａの通信制御インタフェース１２が介してデータＤ7を受信すると、提供手段１３ｂは、受信したデータＤ7を送受信インタフェース１１を介してデータＤ8としてリクエスト信号Ｓ3に含まれる「端末識別子」で識別される端末３０に配信することにより端末３０ａにデータを提供する（Ｓ３５）。
【００８３】
例えば、このデータＤ8は、地域情報や天気予報であることが考えられる。
【００８４】
図８は、情報収集配信システム１における処理の他の一例を示すシーケンス図である。
【００８５】
データ提供装置１０ａの読出処理手段１３ｄは、記憶装置１５から所定のタイミングで収集データ１５ｂを読み出して、データＤ9として情報収集配信装置２０に送信する（Ｓ４１）。データＤ9は、データ提供装置１０ａを識別する「データ提供装置ＩＤ」と記憶装置１５から読み出した収集データ１５ｂの内容を含む。
【００８６】
情報収集配信装置２０の情報収集部２２ｃは、データＤ9を受信すると、受信したデータＤ9を記憶装置２３の収集データ２３ｂに新たなレコードを生成して挿入して記憶させる（Ｓ４２）。
【００８７】
例えば、このデータＤ9は、郵便物センサ１４ｂで取得した投函された郵便物の情報である。または、データＤ9は、温度センサ１４ｃで取得した温度データや湿度センサ１４ｄで取得した湿度データである。上述した本発明の最良の実施の形態に係る情報収集配信システムによれば、新たに基地局を設けること無く、既存の郵便ポストにデータ提供装置を備えることにより、データの配信および収集データの検出をすることが出来る。これによれば、新たに基地局を設ける為の地権者との交渉は不要である。また、全国各地に設置されて同一の構造である郵便ポストにデータ提供装置を備えることにより、多数のデータの検出を均一の状態ですることが出来る。
【００８８】
（変形例１）
図９は、本発明の変形例に係る情報収集配信システム６を示す図である。
【００８９】
情報収集配信システム６は、データ提供装置６０及び端末３０を有し、相互にネットワーク５０を介して接続されている。上述した情報収集配信システム１では、データ提供装置１０ａが情報収集配信装置２０とネットワーク４０を介して接続されていたが、情報収集配信システム６では、データ提供装置６０と情報収集配信装置７０とは接続されていない点で異なる。
【００９０】
本発明の変形例に係る情報収集配信システム６のデータ提供装置６０は、送受信インタフェース１１、中央処理制御装置１３、センサ１４及び記憶装置１５を有している。中央処理制御装置１３は、提供手段１３ｂ、読出処理手段１３ｄ及び１３ｅを有している。センサ１４は、温度センサ１４ｃ及び湿度センサ１４ｄを有している。記憶装置６１は、提供用データ１５ａ及び収集データ１５ｂを記憶している。
【００９１】
記憶装置６１は、着脱可能な記憶装置である。この記憶装置６１は、上述した記憶装置１５と同様に提供用データ１５ａ及び収集データ１５ｂを記憶する。この記憶装置６１は定期的なタイミングでデータ提供装置６０から取り外される。例えば、定期的なタイミングとは、データ提供装置６０を備える郵便ポストに投函された郵便物を回収するタイミングである。この場合、記憶装置６１が郵便袋に接続されており、郵便袋の取り外しと一体して記憶装置６１の取り外しを行うように構成することができれば、記憶装置６１の回収作業の手間を軽減させることが出来る。さらに、記憶装置６１に電力供給用の電池等を備えることにより、データ提供装置６０の電力の供給を容易にすることが出来る。
【００９２】
なお、他の構成については、上述したデータ提供装置１０ａと同一である為、同一の符号を付して説明を省略する。
【００９３】
図１０は、本発明の変形例にかかる情報収集配信システム６のデータ提供装置６０に着脱される記憶装置６１に提供用データ１５ａを記憶させ、また、記憶装置６１記憶される収集データ１５ｂを読み出す情報収集配信装置７０を示す図である。
【００９４】
情報収集配信装置７０は、中央処理制御装置２２及び記憶装置２３を有している。中央処理制御装置２２は、コンテンツ生成部２２ｂ、情報収集部２２ｃ、分析処理部２２ｄ及び記憶読出処理部２２ｅを有している。記憶装置２３は提供用データ２３ａ及び収集データ２３ｂを記憶している。
【００９５】
記憶読出処理部２２ｅは、記憶装置２３から提供用データ２３ａを読み出して記憶装置６１に提供用データ１５ａとして記憶させる。また、記憶読出処理部２２ｅは、記憶装置６１から収集データ１５ｂを読み出すとともに、記憶装置２３の収集データ２３ｂに蓄積して記憶させる。
【００９６】
他の構成については、上述した情報収集配信装置２０と同一の構成である為、同一の符号を付して説明を省略する。
【００９７】
図１１は、情報収集配信システム６における処理の一例を示すシーケンス図である。
【００９８】
データ提供装置６０の提供手段１３ｂは記憶装置６１から提供用データ１５ａを読み出す（Ｓ５１）。その後、提供手段１３ｂは、読み出した提供用データ１５ａをデータＤ10として端末３０に配信することにより端末３０ａにデータを提供する（Ｓ５２）。
【００９９】
例えば、データＤ10は、端末３０に対してポストに近づいた通知であるメッセージや、住所、地域情報等である。
【０１００】
図１２は、情報収集配信システム６における処理の一例を示すシーケンス図である。
【０１０１】
データ提供装置６０の読出処理手段１３ｄは、端末３０からリクエスト信号Ｓ5を受信すると（Ｓ６１）、リクエスト信号Ｓ5に基づいて、記憶装置６１から提供用データ１５ａを読み出す（Ｓ６２）。リクエスト信号Ｓ5は、リクエスト信号Ｓ5を送信した端末３０を識別する「端末識別子」と「リクエストメッセージ」を含んでいる。
【０１０２】
その後、提供手段１３ｂは、読み出した提供用データ１５ａをデータＤ11として、リクエスト信号Ｓ5に含まれる「端末識別子」で識別される端末３０に配信することにより端末３０ａにデータを提供する（Ｓ６３）。
【０１０３】
例えば、データＤ11は、端末３０に対してポストに近づいた通知であるメッセージや、住所、地域情報等である。
【０１０４】
上述したデータ提供装置６０によれば、情報収集配信装置７０とネットワークを介して接続されること無く、記憶装置６１に記憶される提供用データ１５ａを端末３０に配信することが出来る。
【０１０５】
（変形例２）
図１又は図９を用いて上述した実施の形態及び変形例１においては、データの送受信装置１０ａと端末３０との間におけるデータの提供や要求に無線のネットワーク５０ａを利用しているが、例えば、無線ネットワークに替えて、データの提供にバーコードを利用することも可能である。この場合、提供用データ１５ａは、バーコードを生成する為のデータであり、この提供用データ１５ａに基づいて生成されたバーコードが端末３０に提供される。なお、この場合の提供データ１５ａは、ポスト付近の地域情報や天気予報等が考えられる。
【０１０６】
具体的には、データ提供装置１０ａの記憶装置１５に記憶される提供用データ１５ａは、１次元バーコードや２次元バーコードを生成する為の情報である。提供手段１３ｂは、記憶装置１５から提供用データ１５ａを読み出すと、読み出した提供用データ１５ａに基づいて１次元バーコードや２次元バーコードを生成する。また、提供手段１３ｂは、生成した１次元バーコードや２次元バーコードをデータ提供装置１０ａが備える図示しない表示装置に表示する。端末３０は、送受信インタフェース１１に替えて、バーコート読取装置を有している。また端末３０は、バーコード表示制御手段を有している。バーコード読取装置は、データ提供装置１０ａの表示装置に表示されるバーコードを読み取る。バーコート表示制御手段は、バーコード読取装置により読み取られたテキストデータや画像データ等の表示部に出力可能な形式のデータに変換するとともに、変換したデータを端末３０の表示部に表示する。
【０１０７】
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【０１０８】
本発明はここでは記載していない様々な実施の形態等を含むことは勿論である。従って、本発明の技術的範囲は上記の説明に記載した事項と自明な特許請求の範囲に係る発明特定事項によってのみ定められるものである。
【図面の簡単な説明】
【０１０９】
【図１】本発明の最良の実施の形態に係るデータ送受信システムのブロック図。
【図２】本発明の最良の実施の形態に係るデータ送受信システムで利用される提供用データの一例。
【図３】本発明の最良の実施の形態に係るデータ送受信システムで利用される収集データの一例。
【図４】本発明の最良の実施の形態に係るデータ送受信システムにおける処理の一例。
【図５】本発明の最良の実施の形態に係るデータ送受信システムにおける処理の他の例。
【図６】本発明の最良の実施の形態に係るデータ送受信システムにおける処理の他の例。
【図７】本発明の最良の実施の形態に係るデータ送受信システムにおける処理の他の例。
【図８】本発明の最良の実施の形態に係るデータ送受信システムにおける処理の他の例。
【図９】本発明の変形例に係るデータ送受信システムのブロック図。
【図１０】本発明の変形例に係るデータ送受信システムに提供用データを提供する情報収集配信装置のブロック図。
【図１１】本発明の変形例に係るデータ送受信システムにおける処理の一例。
【図１２】本発明の変形例に係るデータ送受信システムにおける処理の他の例。
【符号の説明】
【０１１０】
１，６…情報収集配信システム
１０ａ〜１０ｃ…データ提供装置
１１…送受信インタフェース
１２…通信制御インタフェース
１３…中央処理制御装置
１３ａ…記憶処理手段
１３ｂ…提供手段
１３ｃ…取得制御手段
１３ｄ…読出処理手段
１３ｅ…収集手段
１３ｆ…通知手段
１４…センサ
１４ａ…内容量センサ
１４ｂ…郵便物センサ
１４ｃ…温度センサ
１４ｄ…湿度センサ
１５…記憶装置
１５ａ…提供用データ
１５ｂ…収集データ
２０…情報収集配信装置
２１…通信制御インタフェース
２２…中央処理制御装置
２２ａ…情報配信部
２２ｂ…コンテンツ生成部
２２ｃ…情報収集部
２２ｄ…分析処理部
２２ｅ…記憶読出処理部
２３…記憶装置
２３ａ…提供用データ
２３ｂ…収集データ
３０…端末
４０，５０…ネットワーク
６０…データ提供装置
６１…記憶装置
７０…情報収集配信装置
【図１】
2007004482.tif 000003
【図２】
2007004482.tif 000004
【図３】
2007004482.tif 000005
【図４】
2007004482.tif 000006
【図５】
2007004482.tif 000007
【図６】
2007004482.tif 000008
【図７】
2007004482.tif 000009
【図８】
2007004482.tif 000010
【図９】
2007004482.tif 000011
【図１０】
2007004482.tif 000012
【図１１】
2007004482.tif 000013
【図１２】
2007004482.tif 000014